Podtech/llm-jp-corpus-v4-ja_patent huggingface dataset:
(57)【要約】【課題】本考案は、安価で強度の高いコンクリート塀を提供し、地震、台風等の災害に備える。【解決手段】本考案は、これまでブロック（一般的に縦２００ｍｍ横４００ｍｍ厚さ１００ｍｍ）単位で行われていたコンクリート塀工事をブロックの５０倍程度の大きさのユニットをあらかじめ工場で製作することにより強度を増し、さらに、これまではブロックをセメントで固定するだけであった工法を、ユニットを固定するに当たり、ボルト接合を加えることにより、極めて強度の高い塀を提供するものである。【選択図】図１
0003116158.tif 000002
【実用新案登録請求の範囲】
【請求項１】
縦１００センチメートル、横２００センチメートル、幅２０センチメートルの型の中であらかじめコンクリート打ちされたユニットをひとつの単位として組み立てることを特徴とする塀。
【請求項２】
縦１００センチメートル、横２００センチメートル、幅２０センチメートルの型の中であらかじめコンクリート打ちされたユニットを、ボルト接合により固定し、さらにそれをセメントで固定し、組み立てることを特徴とする塀。
【考案の詳細な説明】
【技術分野】
【０００１】  本考案は、組立式に工事をすることができる塀に関するものである。
【背景技術】
【０００２】  塀の材質に関しては、木製、金属製、コンクリート製、コンクリートブロック製、石製、土製などが知られている。木製や金属製は水にあうと腐食しやすいという欠点があった。石製、土製は高価である。そこでコンクリート製、コンクリートブロック製の塀が広く普及しているが、コンクリート製は、現場打ちコンクリートしなければならないため、コストと時間がかかり、作業が限定されるうらみがあった。
【考案の開示】
【考案が解決しようとする課題】
【０００３】  コンクリートを原料にする塀は、あらかじめブロックにしてそれを現場で積み上げるか、現場でコンクリートを型枠に中に流し込んで固まるのを待つ（現場打ち）かのどちらかの方法により工事がされていた。【０００４】  原料がコンクリートでない場合、たとえばコンクリートブロックに外観の美観や耐久性の維持のため表面に外装材を張る場合等は、外装材をあらかじめ工場で適当な大きさのひとつのユニットとして作成して現場に持ち込むものもある。【０００５】  しかるにコンクリートを原料とする塀自身については、ブロックの形、大きさのユニットを現場で積み上げる形以外に別の方法での工法はない。ブロックを積み上げない場合は、現場打ちになってしまうのである。【０００６】  ブロック塀はともすれば崩れやすいという欠点を有している。ブロックをセメント等で固定するだけの工法であることがほとんどであり、地震などで、あるいは物がぶつかれば、ひどい場合には強い風によっても崩れることがあった。【０００７】  また最近、区画整理等で立ち退きを余儀なくされた後、塀を作り直す必要が生じた場合、地震による倒壊の危険なども考慮して、ブロック塀よりも強い塀の需要が強いが、その需要にこたえるため現場打ちのコンクリートにすると、費用が高くつき、時間もかかる。【０００８】  そこで、費用を抑えつつ、何とかブロック塀よりも強度の高い塀ができることが望まれていた。
【課題を解決するための手段】
【０００９】  本考案は、以上のような世間の需要を背景に、安価に強度の高い塀を提供しようとするものである。ブロックでは接合部分に弱さが出るので、できるだけ接合部分を少なくするために、ひとつのユニットを大きくする。すなわちブロックを５０個集めたくらいのひとつのユニットを現場ではなく、工場で作る。これを現場に持ち込み、現場打ちすることなく現場で組み立てることにより、接合部分の面積を少なくし、強度の高い塀を実現する。【００１０】  さらに、セメントで固定するだけでなく。ボルト接合することにより、接合部分では強い接合を実現して、強度の高い塀を提供しようとするものである。【００１１】  本考案は、現場でコンクリートを型に流し込む（いわゆる現場打ち）作業を工場内で行って大型のコンクリートユニットを作り、さらに、これを強い接合を実現するためにボルト接合で接合するため、ブロック塀よりもはるかに強度の高い塀を提供できる。加えるに、現場うちしないためコストを下げられ、施工時間も短くなる。
【考案の効果】
【００１２】  上述のように、本考案のコンクリートユニットは、工場で作ることができる点で、現場でコンクリートの固まりを待つ等の時間的制約がなく、能率も高い。また塀の厚さ等においても型枠を伸ばしたり縮めたりすることにより対応できるものである。それは十分地震等の塀を壊す恐れのある事項に対処できる。しかも接合部分の面積がブロックに比べると少なくなっていること、接合部分をボルトで締めることによって、接合部から塀が崩れる恐れもほとんどないのである。
【考案の実施するための最良の形態】
【００１３】  コンクリートユニットの型枠は工場で、どの程度の厚さにすればどの程度の強度が得られるかを確認の上、標準的な型枠を作り，それにコンクリートを入れてユニットを標準生産する。個別の注文に対しては、新たに型枠を起こして顧客のニーズにこたえる。
【００１４】  接合部分に関しては、ボルト接合を採用する。このためボルトを受けるコンクリートユニット側には、ボルトをねじ式に埋め込むことの出来る素材をあらかじめ組み込んで置く。
【００１５】    ボルト接合は、図示して示してあるのは、ひとつの例であり、図示してあるように縦にも、図示してないが横にも、それからユニットを貫く形でも作ることができる。
【００１６】  ボルトを受けるユニットの上部に接続するユニットの接合部分（図２の１１の部分）だけは、コンクリートを打たず、現場でボルトを締めた後、コンクリート打ちすることになる。
【実施例】
【００１７】  以下添付図面に従って実施例を説明する。▲１▼塀の注文を受けた（図１）場合、▲２▼塀全体を見渡し、いくつのユニットに分解するかを決定する。次に厚さを決定する（設計段階）。▲３▼その型枠を起こす。▲４▼型枠にコンクリートを流し込み、ユニットを作る（図２）（工場施工段階）。▲４▼それを現場に持ち込み、小型クレーンあるいは油圧ショベルを使って組み立てる（図４）。▲５▼このとき接合部分は人力によりボルト締めを行う（図２を接合させ、そこに図３のボルト、ナット、ボルト、ナット固定素材で上のユニットと下のユニットをボルト締めして固定する）。▲６▼ボルト締めの後、この部分をコンクリート打ちする（図３）。
【図面の簡単な説明】
【００１８】
【図１】注文にかかる塀全体の断面図である。
【図２】塀全体をいくつかのコンクリートユニットに分割したうちの１つ。
【図３】コンクリートユニットの中のボルト、ナット部分。
【図４】コンクリートユニットの現場での敷設施工状況。
【符号の説明】
【００１９】    １  組立式天端ブロック
２  組立式塀ブロック
３  組立式基礎ブロック
４  接合ボルト
５  ボルトナット固定素材
６  ナット
７  球ナット
８  ボルト
９  ボルト受け
１０  油圧ショベルあるいは小型クレーン
１１  コンクリートユニットボルト接合部
【図１】
0003116158.tif 000003
【図２】
0003116158.tif 000004
【図３】
0003116158.tif 000005
【図４】
0003116158.tif 000006
(57)【要約】【課題】  本考案は、ペット用トイレにフード式の覆いを被せ空気清浄機に接続することにより、空気清浄機とペット用トイレを一体化して、ペットがトイレ用の砂を掘り起こして用を足す時のトイレ用の砂の細かい粉やペットの糞等の臭いや雑菌を素早く取り除く事を可能にした。【解決手段】  本考案は、ペットが出入口開口部からトイレ内に入ると、細かいダストを感知して空気清浄機のファンが回り出し、ペットがトイレ用の砂を掘り起こして用を足すとペット用トイレの内部にはトイレ用の砂の細かい粉やペットの糞等の臭いや雑菌が発生するが、空気清浄機のファンが強力に作動する為それらを素早く取り除く事が可能となり、トイレ内の空気が汚れずに済む。ペット用トイレに被せたフード式の覆いからは、トイレ用の砂の細かい粉やペットの糞等の臭いや雑菌が一切漏れないことを特徴とするペット用トイレ空気清浄機フードである。【選択図】    図１
0003116157.tif 000002
【実用新案登録請求の範囲】
【請求項１】
ペット用トイレにフード式の覆いを被せ、ペットの出入口開口部を設ける、その出入口開口部と反対側の奥に空気清浄機を置き、ペット用トイレに被せたフード式の覆いの先を空気清浄機の吸い込み口に被せた。ペットが出入口開口部からトイレ内に入ると、細かいダストを感知して空気清浄機のファンが回り出し、ペットがトイレ用の砂を掘り起こして用を足すとペット用トイレの内部にはトイレ用の砂の細かい粉やペットの糞等の臭いや雑菌が発生するが、空気清浄機のファンが強力に作動する為それらを素早く取り除く事が可能になり、トイレ内の空気が汚れずに済む。ペット用トイレに被せたフード式の覆いからトイレ用の砂の細かい粉やペットの糞等の臭いや雑菌が一切漏れないことを特徴とするペット用トイレ空気清浄機フードである。
【考案の詳細な説明】
【技術分野】
【０００１】  本考案は、ペット用トイレにフード式の覆いを被せ、空気清浄機の吸い込み口と繋いだペット用トイレに関するものである。
【背景技術】
【０００２】  ペットがペット用トイレに入ってトイレ用の砂を掘り起こして用を足す時、砂の細かい粉が舞い上がり部屋全体に広がる、その細かい砂の粉を人やペットが吸ってしまうため、呼吸器系の疾病に罹る危険があった。
【考案の開示】
【考案が解決しようとする課題】
【０００３】  部屋全体に広がってしまうペット用の砂の細かい粉を無意識に人やペットが吸ってしまうため、呼吸器系の疾病に罹れば経済的負担が大きく、又、そのことが原因でペットを飼うことが出来なくなれば全く無意味になってしまう。従って、ペット用トイレとしての機能と、ペット用の砂の細かい粉やペットの糞等の臭いや雑菌を取り除く事が可能な空気清浄機を一体化することにより、ペットと一緒の快適な住空間が確保することが可能になり、前述の欠点を解決しようとするものである。
【課題を解決するための手段】
【０００４】  本考案は、ペット用トイレにフード式の覆いを被せ、ペットの出入口用開口部を設け、その出入口用開口部と反対側の奥に空気清浄機を置き、ペット用トイレに被せたフード式の覆いの先を空気清浄機の吸い込み口に被せることにより、問題点を解決している。
【考案の効果】
【０００５】  上述の様に、本考案のペット用トイレ空気清浄機フードは、ペット用トイレにフード式の覆いを被せ、ペットの出入口用開口部を設け、その出入口用開口部と反対側の奥に空気清浄機を置き、ペット用トイレに被せたフード式の覆いの先を空気清浄機の吸い込み口に被せた。ペットがトイレ用の砂を掘り起こして用を足す時のトイレ用の砂の細かい粉やペットの糞等の臭いや雑菌を素早く取り除く事が可能な空気清浄機とペット用トイレを一体化することで、ペット用トイレを置いた部屋の環境を良くすることに役立つ。
【考案を実施するための最良の形態】
【０００６】  ペット用トイレにフード式の覆いを被せ、ペットの出入口開口部を設け、その開口部と反対側の奥に空気清浄機を置き、ペット用トイレに被せたフード式の覆いの先を空気清浄機の吸い込み口に被せた。ペットが本考案のペット用トイレ空気清浄機フードの出入口用開口部からトイレ内に入ると、細かいダストを感知して空気清浄機のファンが回り、ペットがトイレ用の砂を掘り起こして用を足すとペット用トイレの内部にはトイレ用の砂の細かい粉やペットの糞等の臭いや雑菌が発生するが、それらを素早く取り除く事が可能な空気清浄機のファンが強力に作動する為、トイレ内の空気が汚れずに済む。ペット用トイレに被せたフード式の覆いからトイレ用の砂の細かい粉やペットの糞等の臭いや雑菌が一切漏れないため、部屋の環境を快適に保つことが出来る。
【実施例】
【０００７】  以下、添付図面に従って一実施例を説明する。フード式の覆い２のトイレに被せる下の開口部５をペット用トイレ７に被せ、ペットの出入口開口部３を設ける、その出入口開口部３と反対側の奥に空気清浄機６を置き、ペット用トイレ７に被せたフード式の覆い２の先４を空気清浄機６の吸い込み口に被せた。ペットが出入口開口部３からトイレ内に入ると、細かいダストを感知して空気清浄機６のファンが回り、ペットがトイレ用の砂８を掘り起こして用を足すとペット用トイレ７の内部にはトイレ用の砂の細かい粉やペットの糞等の臭いや雑菌が発生するが、それらを素早く取り除く事が可能な空気清浄機６のファンが強力に作動する為、トイレ内の空気が汚れずに済む。ペット用トイレ７に被せたフード式の覆い２からトイレ用の砂の細かい粉やペットの糞等の臭いや雑菌が一切漏れないため、部屋の環境が快適に保もたれる。
【図面の簡単な説明】
【０００８】
【図１】本考案のペット用トイレ空気清浄機フードを設置した図である。
【符号の説明】
【０００９】１  ペット用トイレ空気清浄機フード本体
２  フード式の覆い
３  ペットの出入口開口部
４  フード式の覆いの先
５  トイレに被せる下の開口部
６  空気清浄機
７  ペット用トイレ
８  トイレ用の砂
【図１】
0003116157.tif 000003
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
【実用新案登録請求の範囲】
【請求項１】
ペット用トイレに被せたフード式の覆いの先を空気清浄機の吸い込み口に被せることにより、ペットがトイレ用の砂を掘り起こして用を足すと空気清浄機のファンが吸引を始めるため、トイレ用の砂の細かい粉やペットの糞等の臭いや雑菌が吸引されることを特徴とする、ペット用トイレ空気清浄機フード。
(57)【要約】【課題】  従来の円柱ダーツから角柱ダーツにすることによりグリップ感を向上する。【解決手段】  従来の円柱ダーツから角柱ダーツにしグリップ感を向上することにより、ダーツが投げやすくなり命中率も向上することが望める。よってダーツの普及にもつながりより多くの人がダーツを楽しめるようになることが期待できる。【選択図】  図１
0003116156.tif 000002
【実用新案登録請求の範囲】
【請求項１】
ターツのバレル部分を多角柱形状にする（４角柱〜８角柱）。従来のダーツは円柱だったが角柱にしバレルに平面を作ることにより方向性を向上することを特徴とする。
【考案の詳細な説明】
【技術分野】
【０００１】  本考案はダーツのばれる部分を円柱から角柱を基本としたダーツである。
【背景技術】
【０００２】現在使われているダーツは円柱を基本にスリット（溝）を入れたり、テーパー状に旋盤で加工できるものだった。
【考案の開示】
【考案が解決しようとする課題】
【０００３】従来の円柱を加工して投げやすくしていたダーツはグリップ感に問題があった。
従来の加工方法は旋盤により、スリット（溝）を入れたりテーパー状にしたものやこれらを複合したものであった。このために、ダーツを握ったときに微妙な位置がわかりづらくスローイング技術（投げるテクニック）にも問題があった。
【課題を解決するための手段】
【０００４】角柱を加工してダーツに平面を作る。
【考案の効果】
【０００５】角柱を加工してダーツに平面を作ることによりグリップ感と方向性を向上する。
このことによりダーツのバレルの角と平面をグリップすることができるため指先でダーツの方向を感じ取りやすくなり微妙な位置を正確に握れるためスローイングが容易になり方向性も向上する。
【考案を実施するための最良の形態】
【０００６】角柱は図１による６角形か８角形を基本とした加工ダーツがが理想的である。
【図面の簡単な説明】
【０００７】
【図１】  によるバレル部分を従来の円柱から角柱になっている。▲５▼及び▲６▼部分の接合部分は角柱ではなく円柱のほうが段差がなくなるためできるだけグリップする部分を角柱に加工するほうがより理想的である。
【符号の説明】
【０００８】▲１▼  ポイントまたはチィップダーツの先端。ボードに刺さる部分
▲２▼  バレル  グリップする部分
▲３▼  シャフト  ▲４▼のフライトを接続する部分
▲４▼  フライト  羽の部分
【図１】
0003116156.tif 000003
【手続補正書】
【提出日】平成17年8月17日(2005.8.17)
【手続補正１】
【補正対象書類名】実用新案登録請求の範囲
【補正対象項目名】全文
【補正方法】変更
【補正の内容】
【実用新案登録請求の範囲】
【請求項１】
ダーツのバレルに平面を作ることにより、ダーツのバレル部分を多角柱形状にしたダーツ。
(57)【要約】【課題】陶磁製床タイルの施工技術の省略と用途の拡大。【解決手段】陶磁製タイル１の裏面２に滑り止めシート３を接着しこの課題を解決する。【選択図】  図１
0003116160.tif 000002
【実用新案登録請求の範囲】
【請求項１】
室内床用陶磁製タイルの本体裏面に滑り止め合成樹脂製シートを貼ったことを特徴とする陶磁器製タイル。
【考案の詳細な説明】
【技術分野】
【０００１】    本考案は裏面の滑り止め効果によって施工を必要としない陶磁製タイルに関する。
【背景技術】
【０００２】  従来の床用陶磁製タイルは、自然石調のタイルで豪華な雰囲気と重厚感を出す室内床用建築部材として使用されてきた。
【考案の開示】
【考案が解決しようとする課題】
【０００３】従来は陶磁製床タイルの裏面にモルタル、接着剤など半永久的接着可能な手段で施工管理される為、時代の流れ、ニーズに対応を必要としても、張替える際には施工剤を剥がさなければいけないなど、経費が嵩むばかりで現実的ではなかった。
【課題を解決するための手段】
【０００４】そこで、陶磁製タイルの裏面全体に滑り止めシートを貼りつけた陶磁製タイルを考案した。この陶磁製タイルにより、置くだけで施工を必要としなくなったのである。
【考案の効果】
【０００５】よって本考案の陶磁製床タイルにより、施工を行わず置くだけでいいので、施工費用がかからず、気軽にどこにでも使用できる。また繰り返し交換が可能になるので汚れた部分の修正、交換、嗜好の変化などにも即対応できる。又各種店舗での交換作業が手軽に行え、顧客吸引力が維持でき、タイルの重厚感を持つ独特の趣によって室内空間の装飾効果があげられる。それのみならず、テーブル上で使用したり、ペット用のマットとして使用したり、床としての機能以外にも効果を果たせるようになり、タイル使用の幅が広がる。
【考案を実施するための最良の形態】
【０００６】以下本発明の一実施例に基づき図面に基づき説明する。
図１〜２に示す様に、本発明に係る陶磁製タイルは、タイル本体１の裏面２に滑り止めシート３を接着している。
滑り止めシートを接着する面積及び位置は、タイル本体１の裏面全体に位置する。
【図面の簡単な説明】
【０００７】
【図１】  本考案に係る陶磁製タイルの斜視図である。
【図２】  同上タイルの断面図である
【符号の説明】
【０００８】１  タイル本体
２  裏面
３  滑り止めシート
Ｆ  床面
【図１】
0003116160.tif 000003
【図２】
0003116160.tif 000004
(57)【要約】      （修正有）【課題】検針機本体に伝票を素早くはさむことの出来る伝票収納室のある伝収納器を設け、集中検針を迅速にする。【解決手段】検針機本体１に伝票収納室３のある伝票収納器２を設け、集中検針を行う時、検針機１から打ち出した伝票を伝票収納器２へはさむことによって、集中検針作業を伝票を手に重ね持ちすることなく、迅速に検針が出来る。【選択図】図１
0003116153.tif 000002
【実用新案登録請求の範囲】
【請求項１】
検針機本体に伝票収納室のある伝票収納器を設け、当該伝票収納室の上部を伝票が受け入れしやすいように両面を外側に曲げるとともに、伝票収納器の伝票をはさむ部分に軽い力を加えれば開き、力が加わらない時は閉じるように、伝票をはさむことの出来る伝票収納器を設けたことを特徴とする伝票収納器付検針機。
【考案の詳細な説明】
【技術分野】
【０００１】  本考案は、伝票収納器を設けた、検針機に関するものである。
【背景技術】
【０００２】  集合住宅等において、ガス・電気・水道のメーター等を検針する場合、メーターの設置場所が集中している為、検針機を持つ手の指と指の間に、検針機から取り出した何枚もの伝票をはさみながら、メーターの数字をうちこむ検針作業を行っていた。
【考案の開示】
【考案が解決しようとする課題】
【０００３】  検針機を持つ手の、指と指の間に、伝票を何枚もはさみ持つことは煩わしい。したがって、検針機本体に伝票をはさむことのできる伝票収納器を設けることにより、問題点を解決しようとするものである。
【課題を解決するための手段】
【０００４】  本考案は、検針機本体に、軽い力を加えると曲がる素材の平板を二つ折りに折り曲げ、伝票をはさむ時に伝票が受け入れやすいように両端を外側に折り曲げた伝票収納室のある伝票収納器を設けることによって、問題点を解決している。
【考案の効果】
【０００５】  上述の様に、本考案の伝票収納器付検針機は、集中検針を行う場合、伝票を検針機から取り出す度に伝票収納器にはさむことができる。
【考案の実施するための最良の形態】
【０００６】  伝票収納器は、軽い力を加えることで開く素材を使うことによって、何枚でも伝票をはさむことができるので、伝票を手に持つ煩わしさがなく、素早く検針作業が行える。
【実施例】
【０００７】  以下、添付図面に従って一実施例を説明する。１は検針機本体、２は弾力のあるプラスチックス等適宜素材の平板を二つ折りに折り曲げ両端を外側に折り曲げた伝票収納器、３は伝票収納室、４は伝票収納器を検針機本体に止めているビス。【０００８】
【図１】
本考案の伝票収納器付検針機の斜視図
【符号の説明】
【０００９】  １、検針機本体
２、伝票収納器
３、伝票収納室
４、ビス
【図１】
0003116153.tif 000003
【手続補正書】
【提出日】平成17年8月2日(2005.8.2)
【手続補正１】
【補正対象書類名】明細書
【補正対象項目名】全文
【補正方法】変更
【補正の内容】
【考案の詳細な説明】
【技術分野】
【０００１】  本考案は、伝票収納器を設けた、検針機に関するものである。
【背景技術】
【０００２】  集合住宅等において、ガス・電気・水道のメーター等を検針する場合、メーターの設置場所が集中している為、検針機を持つ手の指と指の間に、検針機から取り出した何枚もの伝票をはさみながら、メーターの数字をうちこむ検針作業を行っていた。
【考案の開示】
【考案が解決しようとする課題】
【０００３】  検針機を持つ手の、指と指の間に、伝票を何枚もはさみ持つことは煩わしい。したがって、検針機本体に伝票をはさむことのできる伝票収納器を設けることにより、問題点を解決しようとするものである。
【課題を解決するための手段】
【０００４】  本考案は、検針機本体に、軽い力を加えると曲がる素材の平板を二つ折りに折り曲げ、伝票をはさむ時に伝票が受け入れやすいように両端を外側に折り曲げた伝票収納室のある伝票収納器を設けることによって、問題点を解決している。
【考案の効果】
【０００５】  上述の様に、本考案の伝票収納器付検針機は、集中検針を行う場合、伝票を検針機から取り出す度に伝票収納器にはさむことができる。
【考案の実施するための最良の形態】
【０００６】  伝票収納器は、軽い力を加えることで開く素材を使うことによって、何枚でも伝票をはさむことができるので、伝票を手に持つ煩わしさがなく、素早く検針作業が行える。
【実施例】
【０００７】  以下、添付図面に従って一実施例を説明する。１は検針機本体、２は弾力のあるプラスチックス等適宜素材の平板を二つ折りに折り曲げ両端を外側に折り曲げた伝票収納器、３は伝票収納室、４は伝票収納器を検針機本体に止めているビス
【図面の簡単な説明】
【０００８】
【図１】本考案の伝票収納器付検針機の斜視図
【符号の説明】
【０００９】  １、検針機本体
２、伝票収納器
３、伝票収納室
４、ビス
(57)【要約】【課題】ワッペンに実務機能を備えて、長期間の使用を見込み、文具の常時携帯を可能とすることで業務効率及び生活効率を向上させること。【解決手段】ワッペンに切り込みを施し、ペンやハサミ等の文具を収納出来る貫通式ポケットを設けた。【選択図】図１
0003116152.tif 000002
【実用新案登録請求の範囲】
【請求項１】
図柄や文字の刺繍やペイント、又はシール張り付け等を施したワッペンであり、且つペンやハサミ等の文具が収納可能な貫通式ポケットを備えるもの。
【考案の詳細な説明】
【技術分野】
【０００１】本考案は、文具を常時携帯することにより、火急のメモの取り逃がし等を防止する事を目的とし、従来のワッペンに貫通式ポケットを設けて文具を収納可能としたものである。
【背景技術】
【０００２】従来は、ペンやハサミ等を収納する貫通式ポケットの付いたワッペンはなかった。
【考案の開示】
【考案が解決しようとする課題】
【０００３】特に夏場の暑い時期において上着を脱いでいる機会が多く、上着を着ている時に比べてポケットの数が極端に少ない為、ペンを常時携帯せず火急のメモを取り逃がすケースが多い。
【課題を解決するための手段】
【０００４】図柄や文字の刺繍やペイント、又はシール張り付け等を施したワッペン表地に切り込みを施し貫通式ポケット入口を作成し、ワッペンに文具を収納出来る実務機能を持たせた。また、裏地を施す事で文具の先端が衣服に接触する事を防止すると共に、文具携帯者が歩いたり走ったりした時に文具本体が行う運動を最小限に抑えた。
【考案の効果】
【０００５】ポケットの少ない服装時も文具が常時携帯出来る為、火急のメモを取り逃がすケースがなくなる。また、ワッペンに実務機能が備わる為、ワッペン自体の使用期間が長くなる。
【考案を実施するための最良の形態】
【０００６】従来のワッペンと同様に、ファッション、広告、イベント等に多種多彩に利用が可能である。
【実施例】
【０００７】会社の商品のエンブレムやマークを入れて社員が使用する。又は販売する。【０００８】各種イベントのマークを入れて役員が使用する。又は販売する。【０００９】野外活動団体がマークを入れてリーダーが使用する。【００１０】観光地の名所・名産品のマークを入れておみやげとして販売する。
【産業上の利用可能性】
【図面の簡単な説明】
【００１１】
【図１】本考案の使用状態を示した正面図である。
【図２】本考案の使用状態を示した側面図である。
【符号の説明】
【００１２】１  ワッペン本体
２  表地切り込み
３  縫い付け線
４  ペン
５  ワッペン表地
６  ワッペン裏地
７  安全ピン
【図１】
0003116152.tif 000003
【図２】
0003116152.tif 000004
【手続補正書】
【提出日】平成17年7月22日(2005.7.22)
【手続補正１】
【補正対象書類名】実用新案登録請求の範囲
【補正対象項目名】全文
【補正方法】変更
【補正の内容】
【実用新案登録請求の範囲】
【請求項１】
図柄や文字の刺繍やペイント、又はシール張り付け等を施し、且つペンやハサミ等の文具が収納可能な貫通式ポケットを備えたことを特徴とするワッペン。
(57)【要約】      （修正有）【課題】すでに所持しているベビーカーのハンドルの高さや角度を調整することができ、ベビーカー購入時にハンドルの高さを気にせずに、好みの機能や性能をもつベビーカーを選択することができる。【解決手段】手で握る円筒形のハンドル部１と、この円筒形の両端近くの部分に接続されているアーム部２と、その先端がＵ字形となったフック部３と、を備えたベビーカーハンドル高さ及び角度調整脱着式器具。【選択図】図１
0003116155.tif 000002
【実用新案登録請求の範囲】
【請求項１】
手で握るための円筒形の部分と、この円筒形の両端近くの部分から垂直に円筒形を接続させ、ベビーカーの本体のハンドル部に接続するＵ字形の部分と、を備えたベビーカーのハンドル高さ及び角度を調整する脱着式器具。
【考案の詳細な説明】
【技術分野】
【０００１】  本考案は、ベビーカー本体に取り付けて使用する器具に関する。
【背景技術】
【０００２】  これまでのベビーカーでは、ハンドルの高さ調整のための機能を備えたベビーカーでなければ、高さ調整ができなかった。
【考案の開示】
【考案が解決しようとする課題】
【０００３】  ハンドルの高さ調整機能が備わっていないベビーカーだと、使う人の身長によってハンドルの高さが調整できないため、無理な姿勢での操作となり、腰や腕に負担がかかる。また、使用者とハンドルの高さ及び角度が合っていない場合、前屈みでの姿勢になりやすく、ベビーカーと使用者との距離が狭くなり、足元がベビーカーのタイヤや掛けている荷物に当たりやすくなるため、操作に支障が生じる。
【課題を解決するための手段】
【０００４】  手で握るための円筒形の部分と、この円筒形の両端近くの部分に接続した円筒形の部分と、その先端部に設けられ、ベビーカーの本体のハンドル部に接続するＵ字形の部分と、を備えたベビーカーのハンドル高さ及び角度調整脱着式器具を考案した（図１及び図２）。この調整器具により、ハンドルの高さを上下できるとともに、ベビーカー本体との距離をとることができるのである。
【考案の効果】
【０００５】  本考案の高さ及び角度調整脱着式器具により、すでに所持しているベビーカーのハンドルの高さや角度を調整することができる。また、ベビーカー購入時にハンドルの高さを気にせずに、好みの機能や性能をもつベビーカーを選択することができる。また、身長差に関係なく、ベストポジションでベビーカーを操作できるようになり、ベビーカーを押す人の腰や腕の負担を軽減することができる。さらに、本器具は取り外せるので、ベビーカー本体のそのものの機能に大きな影響を及ぼさない。そして、本器具は角度を変えることもできるため、ベビーカーと操作する人との間に空間を作ることができ、軽快に操作を行うことができる。
【考案を実施するための最良の形態】
【０００６】  本考案に係るベビーカーハンドル高さ及び角度調整脱着式器具は、図１に示すように、手で握るための円筒形のハンドル部１を備えている。そして、この円筒形ハンドル部１の両端近くの部分には、同じく円筒形のアーム部２が接続されている。その円筒形のアーム部２の先端部には、図２で示すように、ベビーカー本体のハンドル部と接続できるようにＵ字形フック部３が取り付けられている。このベビーカーハンドル高さ及び角度調整脱着式器具のハンドル部１の太さは手で握りやすい程度がよく、Ｕ字形フック部３の直径も内側寸で３ｃｍ程度が望ましい。また、Ｕ字形フック部３同士の間隔は１５ｃｍ程度、アーム部２の長さは８ｃｍ程度が望ましい大きさである。また、円筒形の素材は、プラスチックもしくは塩化ビニルで形成することが望ましい。また、手でもつ部分は、手触りや扱いやすさの面を考慮して、滑り止めテープ等を巻いておく。【０００７】  本考案に係るベビーカーハンドル高さ及び角度調整脱着式器具は、アーム部が２本ではなく、ハンドル部１の中央から１本としてもよい。
【図面の簡単な説明】
【０００８】
【図１】  本考案に係る脱着式器具を、ベビーカー本体ハンドル部に接続した場合の断面図である。
【図２】  本考案に係る脱着式器具を、図１のＡ−Ｃで見た断面図である。
【符号の説明】
【０００９】  １    手で握るハンドル部
２    アーム部
３    Ｕ字形フック部
１０  ベビーカーハンドル高さ及び角度調整脱着式器具
Ｂ    ベビーカー本体ハンドル部
【図１】
0003116155.tif 000003
【図２】
0003116155.tif 000004
(57)【要約】【課題】  日常生活の中で簡単に足指を開いて効率良く足甲の運動をし、関節や足指の機能と動きを良くしようとするものである。【解決手段】本考案本体１は畳織り布製の足型状草履風のスリッパである。鼻緒３、４は短く先端の設置した前ツボ２は太く大きく立体的で足指を開くと共に鼻緒のへばりを防ぐ。鼻緒は内側３を短く、外側４を長くして足の横滑りを防ぐと共に右足用と左足用を区別し土踏まず部分を厚くして正しい位置に足指を誘導し、前ツボで足指を開き草履感覚で足を踏ん張ってバランスよく歩行し、関節や足指の機能と動きを良くしようとするものである。又、前部に設置した短い鼻緒は足甲の上下運動を活発にし、足裏の筋肉、横中足靭帯を鍛えて正常な足の横アーチ形成を助けて外反母趾、偏平足の予防となる。【選択図】  図１
0003116136.tif 000002
【実用新案登録請求の範囲】
【請求項１】
スリッパの本体１は、畳織り布製の足型状のスリッパである。
鼻緒３、４は、短く、先端に設置した前ツボ２は、太く大きく立体的である。
短い鼻緒は内側３を短く外側４を長くして、右足用と左足用と区別し、土踏まず部分５を厚くした外反母趾防止草履風スリッパである。
【考案の詳細な説明】
【技術分野】
【０００１】本考案は、鼻緒が短く、前ツボは太く大きく立体的で、土踏まず部分が厚い右足用と左足用の区別のある畳織り布製の草履風スリッパに関するものである。
【背景の技術】
【０００２】従来は、足裏のよごれを防ぎ、足を保護する為のスリッパである。
【考案の開示】
【考案が解決しようとする課題】
【０００３】日常生活の中で簡単に、足指を開いて効率良く足甲の運動をし、関節や足指の機能と動きを良くしようとするものである。
【課題を解決するための手段】
【０００４】スリッパ本体１は畳織りの布製で、前ツボ２は、太く大きく立体的にして、鼻緒３、４は、通常より短く、鼻緒の内側３は短く、外側４を長くして、右足用と左足用を区別し、スリッパ１の土踏まず部分５を、厚くした足型状の外反母趾防止草履風スリッパである。
【考案の効果】
【０００５】前述の様に本考案は、スリッパ本体が畳織り布製の足形状の草履である。特長は短い鼻緒と太く大きな立体的な前ツボであり鼻緒は、内側を短く外側を長くして、足の横滑りを防ぐと共に右足用と左足用を区別し、土踏まず部分を厚くし、正しい位置に足指を誘導し、前ツボで足指を開いて草履感覚で足を踏ん張ってバランス良く歩行して関節や足指の機能と動きを良くする。
前部に設置した短い鼻緒は足甲の上下運動を活発にし、足裏の筋肉横中足靭帯を鍛えて正常な足の横アーチの形成を助けて外反母趾、偏平足の予防をする。
鼻緒が短く立体的ではきやすく畳織り布製の為、保温と共に足裏を刺激し、床掃除も兼用する。
材料はリサイクルの布を利用し低価格である。
【考案の実施する為の最良形態】
【０００６】本体は畳織り布製の足形状の草履風スリッパである。鼻緒が短く前部に設置している為、足甲の上下運動を活発にする。太く大きい立体的な前ツボで足指を開き鼻緒内側を短く外側を長くし、右足用と左足用を区別し、土踏まず部分を厚くし、正しい位置に足を誘導しバランスのとれた歩行をする。
【実施例】
【０００７】以下、添付図面に従って実施例を説明する。１は畳織り布製の足形状の草履風スリッパ本体、布製畳織りの為保温と共に足裏を刺激し、後部が細くバタつかない。太く大きい立体的な前ツボ２は足指を開いて足の歪を防ぎ、鼻緒３、４は短く前部に設置している為足首が動きやすく足甲の上下運動を活発にする。【０００８】短い鼻緒の内側３は短く外側４を長くし右足用と左足用と区別し土踏まず部分５を厚くし足のなじんだ本体の形状を維持し正しい位置に足を誘導し、バランスのとれた歩行をする。
【図面の簡単な説明】
【０００９】
【図１】本考案の外反母趾防止草履風スリッパの実施例を示す右足の斜視図
【図２】本考案の断面図
【図３】本考案の右足用、左足用を示す正面図
【符号の説明】
【００１０】      １．  スリッパ本体
２．  前ツボ
３．  鼻緒内側
４．  鼻緒外側
５．  土踏まず部分
【図１】
0003116136.tif 000003
【図２】
0003116136.tif 000004
【図３】
0003116136.tif 000005
【手続補正書】
【提出日】平成17年5月12日(2005.5.12)
【手続補正１】
【補正対象書類名】実用新案登録請求の範囲
【補正対象項目名】全文
【補正方法】変更
【補正の内容】
〔書類名〕実用新案登録請求の範囲
〔請求項１〕
ゾーリ風スリッパにおいての件
畳織り布製の足形状のスリッパであり、鼻緒は短く、前ツボは、太く、大きく立体的であり、鼻緒は内側３を短く、外側４を長くし、右足用、左足用を区別し、土踏まず部分を厚くしている、外反母趾防止草履風スリッパ。
【手続補正書】
【提出日】平成17年8月8日(2005.8.8)
【手続補正１】
【補正対象書類名】実用新案登録請求の範囲
【補正対象項目名】全文
【補正方法】変更
【補正の内容】
【実用新案登録請求の範囲】
【請求項１】
畳織り布製の足形状の外反母趾防止草履風スリッパであって、鼻緒は短く前ツボは太く大きく、立体的であり鼻緒は内側３を短く、外側４を長くし、右足用、左足用を、区別し、土踏まず部分を厚くしている外反母趾防止草履風スリッパ。
(57)【要約】【課題】遮断板を同時に取り外して取り出すことを可能とすることで、位置決め固定が便利で取り外しを容易にすること。【解決手段】  遮断装置は主に基体と上部体とを有し、該基体はネジにより上部体に互いに螺設されており、かつ該基体と上部体との間にはゴムリングが装着されている水路遮断装置構造の改良において、該基体の底端には幅が基体の外径に対応して成形された遮断板が形成されていることを特徴とする。【選択図】  図３
0003116133.tif 000002
【実用新案登録請求の範囲】
【請求項１】
主に基体と上部体とを有し、該基体はネジにより上部体に互いに螺設されており、かつ該基体と上部体との間にはゴムリングが装着されている水路遮断装置において、
該基体の底端には幅が基体の外径に対応して成形された遮断板が形成されていることを特徴とする、
水路遮断装置。
【考案の詳細な説明】
【技術分野】
【０００１】
本考案は水路遮断装置に関し、具体的には、該遮断板と基体とを一体成型したことにより、位置決め固定が便利で取り外しを容易にする水路遮断装置に関するものである。
【背景技術】
【０００２】
一般的なモジュールの水路内には遮断装置と遮断板とが設けられることで、水路内の水量を均一化して、良好な冷却効果を奏するものであるが、これは確かにこの効果を備えるものの、さまざまな欠点がある。
ここに従来の水路遮断装置の構造および問題点について図面を併せて下記に説明する。
【０００３】
図１を参照されたい。一般的なモジュール（３０）の水路（３１）内には遮断板（３２）が設けられている。更に該モジュール（３０）の水路（３１）口には遮断装置（３３）が設けられることで、水路（３１）内の水流を均一化する効果を奏している。
【０００４】
しかし該遮断板（３２）がモジュール（３０）の水路（３１）内にきつく装着されている場合には、使用者がモジュール（３０）の水路（３１）の水垢を洗浄する際、該遮断板（３２）をモジュール（３０）の水路（３１）内から取り出し、水垢を洗浄することができなくなる。
【０００５】
反対に、もし該遮断板（３２）がモジュール（３０）の水路（３１）内に緩く装着されている場合には、該遮断板（３２）がモジュール（３０）の水路（３１）内に位置決めすることができず、水流が通過したときに、該遮断板（３２）がモジュール（３０）の水路（３１）内で回転してしまい、水流を均一化する効果を奏することができなってしまう。
【考案の開示】
【考案が解決しようとする課題】
【０００６】
本考案は上記の欠点を解決するために成されたもので、その目的とするところは、遮断板の位置決めと固定が便利で取り外しを容易にした水路遮断装置を提供することにある。
【課題を解決するための手段】
【０００７】
本考案にに係る水路遮断装置は、主に基体と上部体とを有し、該基体はネジにより上部体に互いに螺設されており、かつ該基体と上部体との間にはゴムリングが装着されている水路遮断装置において、該基体の底端には幅が基体の外径に対応して成形された遮断板が形成されていることを特徴とする。
【考案の効果】
【０００８】
本考案は、基体の底端には幅が基体の外径に対応して成形された遮断板が形成されているものであり、該遮断板と基体とを一体成型したことにより、使用者が遮断装置を固定する際、遮断板を同時に位置決め固定することができる一方で、反対に、使用者が遮断装置を取り外す際には、遮断板を同時に取り外して取り出すことを可能とすることで、位置決め固定が便利で取り外しを容易にすることができる。
【考案を実施するための最良の形態】
【０００９】
本考案の好ましい実施例について図面を参照しながら詳細に説明する。
図２，３に示すように、本考案に係る遮断装置（１０）は、主に、基体（１１）と上部体（１２）とを備えている。
【００１０】
該基体（１１）はネジ（１３）により上部体（１２）に互いに螺設されており、かつ該基体（１１）と上部体（１２）との間にはゴムリング（１４）が装着されている。
【００１１】
該基体（１１）の底端には幅が基体（１１）の外径に対応して成形された遮断板（１５）が形成されていることを特徴とする。
上述が本考案の実施例における各主要部材の関係位置およびその構造である。
【００１２】
本考案のその他の形態について説明する。
図４，５を参照されたい。本考案を動作実行する際には、該遮断装置（１０）を射出モジュール（２０）の水路（２１）内に配設するとともに、該遮断装置（１０）の基体（１１）の遮断板（１５）と２つの交差する水路（２１）の平面とを直交させる。
【００１３】
このときに、該遮断装置（１０）を螺設するネジ（１３）が、該遮断装置（１０）の基体（１１）と上部体（１２）とを緊着させるとともに、遮断装置（１０）のゴムリング（１４）が外方に拡張して射出モジュール（２０）の水路（２１）内壁に密着し、遮断装置（１０）が固定されたときに、同時に遮断板（１５）を位置決め固定する目的を達する。
【００１４】
反対に、該遮断装置（１０）を取り外す際は、該遮断装置（１０）のネジ（１３）を緩めるだけで、該遮断装置（１０）の基体（１１）と上部体（１２）とが取り出される。
【００１５】
つまり該遮断装置（１０）の基体（１１）と遮断板（１５）との一体成型の構造により、該遮断板（１５）を同時にモジュール（２０）の水路（２１）から取り出すことが可能となり、取り外しを容易にする目的を達することができる。
【００１６】
したがって、本考案は、該遮断板（１５）と遮断装置（１０）の基体（１１）とを一体成型したことにより、使用者が遮断装置（１０）を着脱する際、遮断板（１５）を同時に位置決め固定または取り出すことができ、位置決め固定が便利で取り外しを容易にすることができる。
【００１７】
また、本考案は該遮断板（１５）と遮断装置（１０）の基体（１１）とを一体成型し着脱が容易であるため、使用者によるモジュール（２０）の水路（２１）の水垢の洗浄が容易になる目的を達することができる。
【００１８】
上記を総合すると、本考案は、基体の底端には幅が基体の外径に対応して成形された遮断板が形成されているものであり、該遮断板と基体とを一体成型したことにより、使用者が遮断装置を固定する際、遮断板を同時に位置決め固定することができる一方で、反対に、使用者が遮断装置を取り外す際には、遮断板を同時に取り外して取り出すことを可能とすることで、位置決め固定が便利で取り外しを容易にすることができる。
【図面の簡単な説明】
【００１９】
【図１】従来の実施例の平面図。
【図２】本考案の組体図。
【図３】本考案の断面図。
【図４】本考案の実施例の平面図。
【図５】本考案の実施例の一部断面図。
【符号の説明】
【００２０】
１０・・・・・遮断装置
１１・・・・・基体
１２・・・・・上部体
１３・・・・・ネジ
１４・・・・・ゴムリング
１５・・・・・遮断板
２０・・・・・モジュール
２１・・・・・水路
３・・・・・０モジュール
３１・・・・・水路
３２・・・・・遮断板
３３・・・・・遮断装置
【図１】
0003116133.tif 000003
【図２】
0003116133.tif 000004
【図３】
0003116133.tif 000005
【図４】
0003116133.tif 000006
【図５】
0003116133.tif 000007
(57)【要約】      （修正有）【課題】自動車運転時の運転者の衣類（主に背広、制服など）が、シートベルトとの摩擦によって、衣類が磨耗し、照りが生じてしまうことに関する。【解決手段】運転席のシートベルトの体との接触する範囲をフリース素材のカバー１で包むことにより、シートベルトと衣類の接触を防ぐ。【選択図】図１
0003116138.tif 000002
【実用新案登録請求の範囲】
【請求項１】
自動車運転時のシートベルト装着による衣類（主に背広又は制服）における磨耗による照りを防ぐためのフリース素材のシートベルトカバー。
【考案の詳細な説明】
【技術分野】
【０００１】        本考案は自動車運転者の運転時のシートベルト装着時の衣類の磨耗を防ぐための対策方法に関する。
【背景技術】
【０００２】        最近のシートベルトは、以前のものと比べて、より身体や衣服に対して快適になり、滑らのものになっている。
【考案の開示】
【考案が解決しようとする課題】
【０００３】        従来のシートベルトに比べて、最近のシートベルトはより滑らかに体にフィットするようになっていることによって、自動車運転時のシートベルト装着時の摩擦による衣服（主に背広、制服などのウール素材のもの）の磨耗（照り）が生じてしまう点に関する。
【課題を解決するための手段】
【０００４】        シートベルトにフリース素材のカバーをつける
【考案の効果】
【０００５】        シートベルトにフリース素材のカバーをつけることによって、フリース素材のカバーが衣類とシートベルトを接触するのを防ぐ点【０００６】        フリース素材の布は、背広や制服などのウール素材の布と摩擦の抵抗が強いため、衣類の布が磨耗しにくい。
【考案を実施するための最良の形態】
【実施例】
【０００７】        シートベルトの装着時に右肩部から胸部にかけてシートベルトが直接体に当たる部分のシートベルトをフリース素材の布カバーで包む。【０００８】        シートベルトを包むカバーは、フリース素材の布を使用し、布を折り返して重なる部分を衣類との接触面と反対側し、３箇所ほどホックで止めはずしができるようにする。
【産業上の利用可能性】
【０００９】        背広または制服を着用した状態で自動車を多くの時間運転する場合に起こりうる衣類の磨耗を防ぐために活用できる。
【図面の簡単な説明】
【００１０】
【図１】「自動車運転時のシートベルトカバーを示した平面図である」
【図２】「シートベルトとシートベルトカバーの断面図である」
【符号の説明】
【００１１】        １  シートベルトカバー
２  ホック
３  シートベルト
【図１】
0003116138.tif 000003
【図２】
0003116138.tif 000004
【手続補正書】
【提出日】平成17年5月31日(2005.5.31)
【手続補正１】
【補正対象書類名】実用新案登録請求の範囲
【補正対象項目名】全文
【補正方法】変更
【補正の内容】
【実用新案登録請求の範囲】
【請求項１】
自動車運転時のシートベルトと衣類の磨耗による照りを防ぐために、フリース素材の布を長方形の形にし、その両端にホックをつけ、シートベルトを包むようにして、ホックでとめ、シートベルトカバーにする。そのときにあえて、カバーとシートベルトは固定せず、スライドしての移動を可能にする。
【手続補正書】
【提出日】平成17年8月4日(2005.8.4)
【手続補正１】
【補正対象書類名】実用新案登録請求の範囲
【補正対象項目名】全文
【補正方法】変更
【補正の内容】
【実用新案登録請求の範囲】
【請求項１】
自動車運転時のシートベルトと衣類の磨耗による照りを防ぐために、フリース素材の布を長方形の形にし、その両端にホックをつけ、シートベルトを包むようにして、ホックでとめたことを特徴とするシートベルトカバー。
(57)【要約】      （修正有）【課題】移動と設置に場所をとらずに、手軽に帽子掛けとしてしようできるようにしたハンガーの提供。【解決手段】洋服掛けハンガーに似た形で、帽子掛けハンガーを作る。【選択図】図３
0003116139.tif 000002
【実用新案登録請求の範囲】
【請求項１】
帽子を保管するためのハンガー
【考案の詳細な説明】
【技術分野】
【０００１】        本考案は帽子を簡単に保管するための道具であることに関する。
【背景技術】
【０００２】        以前よりの帽子掛けは場所もとり、移動しづらいものが多い
【考案の開示】
【考案が解決しようとする課題】
【０００３】        従来のものより、移動と設置に場所をとらずに、手軽に帽子掛けとしてしようできるようにする。
【課題を解決するための手段】
【０００４】        洋服掛けハンガーに似た形で、帽子掛けハンガーを作る。
【考案の効果】
【０００５】        部屋の壁や洋服掛けに手軽に使用できるようになる点【０００６】        帽子の収納数に応じて、帽子がけハンガーの数を調節できる。
【考案を実施するための最良の形態】
【実施例】
【０００７】        ハンガーに近い形をとることで、使いやすくすること。【０００８】        ２つ以上の帽子掛けハンガーを連結して使用できる。
【産業上の利用可能性】
【０００９】        最近の帽子ブームにより、誰でも帽子の保管に活用できる。
【図面の簡単な説明】
【００１０】
【図１】「帽子掛けハンガーの平面図である」
【図２】「帽子掛けハンガーを真横からみた図である。」
【図３】「帽子掛けハンガーを連結して使用したときの図である。」
【図１】
0003116139.tif 000003
【図２】
0003116139.tif 000004
【図３】
0003116139.tif 000005
【手続補正書】
【提出日】平成17年5月31日(2005.5.31)
【手続補正１】
【補正対象書類名】実用新案登録請求の範囲
【補正対象項目名】全文
【補正方法】変更
【補正の内容】
【実用新案登録請求の範囲】
【請求項１】
従来のハンガーの形を、帽子を掛けて保管しやすくするために、衣類の肩がかかる部分を少し斜めに下げ、その両端の先端部分を手前に曲げ、帽子を掛け易いように、先端を上向きにする。
【請求項２】
帽子を掛けるためのハンガーの中央部分に穴をあけることによって、２つ以上連結して使えるようにする。
【手続補正書】
【提出日】平成17年8月4日(2005.8.4)
【手続補正１】
【補正対象書類名】実用新案登録請求の範囲
【補正対象項目名】全文
【補正方法】変更
【補正の内容】
【実用新案登録請求の範囲】
【請求項１】
ハンガーの形を、帽子を掛けて保管しやすくするために、
衣類の肩がかかる部分を少し斜めに下げ、その両端の先端部分を手前に曲げ、帽子を掛け易いように、先端を上向きにしたことを特徴とするハンガー。
【請求項２】
帽子を掛けるためのハンガーの中央部分に穴をあけることによって、
２つ以上連結して使えることを特徴とする請求項１記載のハンガー。